(57)【要約】【課題】  何の目的で走行したときの登録地点なのかを思いだす材料を提供する。【解決手段】  車両の現在位置を検出する現在位置検出手段（２）と、地点を入力する入力手段（１）と、入力手段により入力された地点を登録する地点登録手段（７）とを備えたナビゲーション装置において、地点登録手段は、走行路の途中において地点を登録する操作がなされたとき、当該走行路の出発地情報、目的地情報とともに前記地点の情報を記憶する。【選択図】        図１
2005315655.tif 000002
【特許請求の範囲】
【請求項１】
車両の現在位置を検出する現在位置検出手段と、
地点を入力する入力手段と、
前記入力手段により入力された地点を登録する地点登録手段と、
を備えたナビゲーション装置において、
前記地点登録手段は、走行路の途中において地点を登録する操作がなされたとき、当該走行路の出発地情報、目的地情報とともに前記地点の情報を記憶することを特徴とするナビゲーション装置。
【請求項２】
前記走行路に出発地、目的地が設定されているときは、前記出発地、目的地の情報を地点の情報とともに記憶することを特徴とする請求項１記載のナビゲーション装置。
【請求項３】
前記走行路に出発地、目的地が設定されていないときは、エンジンＯＮ地点を出発地、エンジンＯＦＦ地点を目的地としてそれらの情報を地点の情報とともに記憶することを特徴とする請求項１記載のナビゲーション装置。
【請求項４】
登録地点を選択した際に登録地点の情報と共にそれらの情報も同時に表示することを特徴とする請求項１記載のナビゲーション装置。
【請求項５】
入力手段により入力された地点を登録する機能を備えたナビゲーション装置に搭載されるプログラムにおいて、
走行路の途中においてナビゲーション装置に対して地点登録操作がなされたとき、入力された地点情報とともに、当該走行路の出発地情報、目的地情報を記憶手段に記憶して登録処理することを特徴とするナビゲーションプログラム。
【発明の詳細な説明】
【技術分野】
【０００１】
本発明は入力した地点をメモリ地点として登録する機能を備えたナビゲーション装置及びナビゲーションプログラムに関する。
【背景技術】
【０００２】
ナビゲーション装置のメモリ地点登録機能として、ユーザが画面に表示された地図上で任意の場所（地点）を指定して登録操作をすると、その地点の座標が登録される。例えば、図５に示すように、メモリ地点１として中村警察所付近で登録操作をするとその地点の座標が記憶される。そして、登録された地点を呼び出してメモリ地点１を選択するとその周辺の地図が表示される。
また、地図上で地点を指定して登録操作すると、物件の種別の優先度に基づいて所定エリア内にある物件を検索し、指定した地点の座標と共に、その近辺の施設名称を記憶するものも提案されている（特許文献１）。
【特許文献１】特開２００２−３２３３４１号公報
【発明の開示】
【発明が解決しようとする課題】
【０００３】
上記のような地点登録機能は非常に便利である反面、走行路の途中においてユーザが気になった地点を登録した場合に、地点登録後時間が経過してしまうと、ユーザは何を登録したのか忘れてしまうことがある。
【課題を解決するための手段】
【０００４】
本発明は上記課題を解決しようとするものであり、ユーザがなぜ地点登録したかを思い出せるようにすることを目的とする。
そのために本発明は、車両の現在位置を検出する現在位置検出手段と、地点を入力する入力手段と、前記入力手段により入力された地点を登録する地点登録手段とを備えたナビゲーション装置において、前記地点登録手段は、走行路の途中において地点を登録する操作がなされたとき、当該走行路の出発地情報、目的地情報とともに前記地点の情報を記憶することを特徴とする。
また、本発明は、入力手段により入力された地点を登録する機能を備えたナビゲーション装置に搭載されるプログラムにおいて、走行路の途中においてナビゲーション装置に対して地点登録操作がなされたとき、入力された地点情報とともに、当該走行路の出発地情報、目的地情報を記憶手段に記憶して登録処理することを特徴とする。
【発明の効果】
【０００５】
本発明によれば、ユーザが何の目的で走行したときの登録地点なのかを思いだす材料を提供することができる。
【発明を実施するための最良の形態】
【０００６】
以下、実施の形態について説明する。
図１は本実施形態に係るナビゲーション装置の例を示す図である。出発地や目的地、登録地点等の情報を入力する入力装置１、自車両の現在位置に関する情報を検出する現在位置検出装置２、地図データ、経路の探索に必要なナビゲーション用データ、経路案内に必要な表示／音声の案内データ、さらに地図の表示、経路探索、音声案内等の案内を行うためのプログラム（アプリケーション及び／又はＯＳ）等が記録されている情報記憶装置３、ナビゲータ処理手段として地図の表示処理、経路探索処理、経路案内に必要な表示／音声案内処理、さらにシステム全体の制御を行う中央処理装置４、車両の走行に関する情報である、例えば道路情報、交通情報を送受信したり、車両の現在位置に関する情報を検出したり、さらに現在位置に関する情報を送受信したりする情報送受信装置５、経路案内に関する情報を出力するディスプレイやスピーカその他の出力装置６から構成されている。
【０００７】
本実施形態の中央処理装置４は、走行路の途中において入力装置１により地点登録操作がなされたとき、走行路が設定された経路等のように出発地、目的地が設定されている場合はその出発地と目的地の情報を地点の情報とともに記憶し、また、走行路に出発地、目的地が設定されていない場合は、エンジンＯＮ地点を出発地、エンジンＯＦＦ地点を目的地としてそれらの情報を地点の情報とともに記憶する地点登録手段７を有している。さらに、地点登録手段７により地点登録したときの日時を記憶するようにしてもよい。
【０００８】
例えば、図２に示すように、メモリ地点１として中村警察所付近で登録操作をするとその地点の座標が記憶されるるとともに、登録日時、出発地（名古屋駅）、目的地（アイシンＡＷ）が記憶される。このように、地点登録する際にその時の出発地、目的地を同時に記憶しておき、登録地点を選択した際に登録地点の情報と共にそれらの情報も同時に表示するようにする。このような方法でメモリ地点を登録することにより、時間経過した後でもユーザは登録日時、出発地、目的地等を知って、何の目的で走行したときに登録した地点なのかを思い出すてがかりが得られる。
【０００９】
次に、図３、図４により地点登録の詳細について説明する。
図３は走行途中において地点登録する場合の説明図、図４は地点登録手段による地点登録処理フローを示す図である。
エンジンがＯＮされると現在地点Ｐ１を出発地として記憶する（ステップＳ１、Ｓ２）。走行途中の地点Ｐ２において地点登録操作がなされると（ステップＳ３）、目的地Ｐ３が設定されているか否か判断し（ステップＳ４）、目的地Ｐ３が設定されていれば、現在地点Ｐ２を、出発地Ｐ１、目的地Ｐ３の情報とともに記憶する（ステップＳ５）。ステップＳ４において、目的地Ｐ３が設定されていない場合は、現在地点Ｐ２を記憶する（ステップＳ６）。次いで、エンジンがＯＦＦされたか否か判断し（ステップＳ７）、エンジンがＯＦＦされたとき、記憶した地点Ｐ２に、出発地点Ｐ１と現在地点Ｐ３の情報を付加して記憶する。
【産業上の利用可能性】
【００１０】
本発明によれば、ユーザが何の目的で走行したときの登録地点なのかを思いだす材料を提供することができるので、産業上の利用価値は極めて大きい。
【図面の簡単な説明】
【００１１】
【図１】本実施形態に係るナビゲーション装置の例を示す図である。
【図２】本実施形態の地点登録により記憶される内容を示す図である。
【図３】走行途中において地点登録する場合の説明図である。
【図４】地点登録手段による地点登録処理フローを示す図である。
【図５】従来の地点登録により記憶される内容を示す図である。
【符号の説明】
【００１２】
１…入力装置１、２…現在位置検出装置、３…情報記憶装置、４…中央処理装置、５…情報送受信装置、６…出力装置、７…地点登録手段。
【図１】
2005315655.tif 000003
【図２】
2005315655.tif 000004
【図３】
2005315655.tif 000005
【図４】
2005315655.tif 000006
【図５】
2005315655.tif 000007